(57)【要約】      （修正有）【課題】比較的簡単な構成で周囲の振動を防止してオーディオ機器を保持できるようにしたオーディオ用の免震台を提供する。【解決手段】枠状のベース１０の上部に複数のスプリングブラケットを設ける。スプリングブラケットの中央には夫々連結部材を介してサポートブラケットを連結する。サポートブラケット上に位置決め部を設け、天板３０の下面に係合部を設け、係合部を位置決め部に合わせて天板３０をサポートブラケット上に載置する。これにより天板３０上のオーディオ機器の振動を防止することができる。【選択図】図１
0003183544.tif 000002
【実用新案登録請求の範囲】
【請求項１】
水平に配置される枠状ベースと、
前記枠状ベースの上面の複数箇所に直立して取付けられるスプリングブラケットと、
前記各スプリングブラケットの平面の下方に弾性を有する連結部材を介して吊り下げられ、上面に位置決め部を有するサポートブラケットと、
前記サポートブラケットの位置決め部に係合する係合部を下面に有し、前記サポートブラケット上に載置される天板と、を有するオーディオ用免震台。
【請求項２】
前記サポートブラケットは、前記連結部材との取付部の両側の上面に一対の突起を有するものであり、
前記天板の係合部は、前記位置決め部に対応する位置に設けられ、前記突起に係合する一対の窪みと、前記連結部材に対応する位置にスプリングブラケットに直接接触しない窪みとを有する請求項１記載のオーディオ用免震台。
【考案の詳細な説明】
【技術分野】
【０００１】
本考案は、レコードプレーヤー等を載置するオーディオ用の免震台に関するものである。
【背景技術】
【０００２】
レコードプレーヤー等はレコードを回転させつつレコード針で音響信号を抽出するため、振動のない台上に載置することが求められている。又その他のオーディオ用機器においてもできるだけ振動の少ない台上に載置することが求められる。このため音質を重視する従来のオーディオ用レコードプレーヤーの中には、ベースの四方に柱状のポールを設け、その先端に水平に小円板を設け、円板の周囲よりプレーヤー台に向けた多数のゴムを張架してプレーヤー台を支持することによって、ベースからの振動を防止するようにしたものが知られている。又特許文献１には円筒状のスパイク受けと第１，第２のスパイクを積み重ねて、液体によって振動の伝達を防止するようにした振動防止装置が示されている。
【先行技術文献】
【特許文献】
【０００３】
【特許文献１】特開２００７−１４２６７６号公報
【考案の概要】
【考案が解決しようとする課題】
【０００４】
しかしこのような従来のプレーヤーでは、多数のゴムを用いているため一定の特性を長期間維持することが難しい。そのためゴムの劣化に伴い交換が必要となるが、交換に手間がかかるという問題点があった。又プレーヤーの上面に多数のゴムが目立つ形で配置されるため、美観を損なうという問題点もあった。又特許文献１の支持装置ではスパイク受けに液体等を吸入しているため、複雑な構造となるという問題点があった。
【０００５】
本考案はこのような従来の問題点に着目してなされたもので、比較的簡単な構成で周囲の振動を防止してレコードプレーヤーやスピーカ等のオーディオ機器を保持できる免震台を提供することを技術的課題とする。
【課題を解決するための手段】
【０００６】
この課題を解決するために、本考案のオーディオ用免震台は、水平に配置される枠状ベースと、前記枠状ベースの上面の複数箇所に直立して取付けられるスプリングブラケットと、前記各スプリングブラケットの平面の下方に弾性を有する連結部材を介して吊り下げられ、上面に位置決め部を有するサポートブラケットと、前記サポートブラケットの位置決め部に係合する係合部を下面に有し、前記サポートブラケット上に載置される天板と、を有するものである。
【０００７】
ここで前記サポートブラケットは、前記連結部材との取付部の両側の上面に一対の突起を有するものであり、前記天板の係合部は、前記位置決め部に対応する位置に設けられ、前記突起に係合する一対の窪みと、前記連結部材に対応する位置にスプリングブラケットに直接接触しない窪みとを有するようにしてもよい。
【考案の効果】
【０００８】
このような特徴を有する本考案によれば、天板は連結部材を介して枠状ベースのサポートブラケット上に載置され、スプリングブラケットに対しては吊り下げられた状態となる。従って天板上にオーディオプレーヤー等を載置するだけで振動を防止することができ、音質を向上させることができるという効果が得られる。
【図面の簡単な説明】
【０００９】
【図１】図１は本考案の実施の形態によるオーディオ免震台の全体構成を示す斜視図である。
【図２】図２は本実施の形態の枠状ベースの平面図である。
【図３】図３は本実施の形態の枠状ベースの正面図及び側面図である。
【図４】図４は本実施の形態のスプリングブラケット、連結部材及びのサポートブラケットを示す斜視図である。
【図５】図５は本実施の形態の連結部材の断面図である。
【図６】図６は本実施の形態の天板の一例を示す平面図である。
【図７】図７は本実施の形態の天板の上面の窪みを示す部分断面図である。
【図８】図８は本実施の形態の天板の係合部を示す部分断面図である。
【考案を実施するための形態】
【００１０】
図１は本考案の実施の形態によるオーディオ用免震台の全体構成を示す斜視図である。本実施の形態のオーディオ用免震台は枠状のベース１０上に天板３０が載置されて構成されている。枠状ベース１０と天板３０とは後述する４つの連結部材のみを介して接触している。天板３０上には任意のオーディオ機器、例えば図示しないレコードプレーヤーが載置される。
【００１１】
次に本考案の実施の形態によるオーディオ用免震台を構成する各部材について詳細に説明する。図２はこの枠状ベース１０の平面図であり、図３（ａ），（ｂ）は正面図及び側面図である。これらの図に示すように、枠状ベース１０は中央部分にほぼ正方形の開口１１を有する略正方形状の枠体であって、下方に脚部１２ａ〜１２ｄが設けられ、水平に配置されている。枠状ベース１０は上面には開口１１の相対向する内側の２辺に夫々２つのスプリングブラケット１３，１４と１５，１６とが直立して取付けられる。これらのスプリングブラケットは枠状ベース１０の開口１１の内側側面より例えば溶接によって取付けられている。
【００１２】
スプリングブラケット１３，１４，１５，１６はいずれも同一の形状であるので、スプリングブラケット１３について図４を用いて説明する。スプリングブラケット１３は一方の側面１３ａが他方の側面１３ｂより長くなるように平板がコ字状に折り曲げられた部材である。その間の平面１３ｃには中心に開口１３ｄが設けられる。そしてスプリングブラケット１３の開口１３ｄには連結部材１７を介してサポートブラケット２１が連結される。他のスプリングブラケット１４〜１６についても同様であり、スプリングブラケット１４〜１６の中央の開口１４ｄ，１５ｄ，１６ｄには夫々連結部材１８，１９，２０を介してサポートブラケット２２，２３，２４が同時に連結される。
【００１３】
次に連結部材１７〜２０は同一のものであるので、連結部材１７について図５の断面図を用いて説明する。連結部材１７はスプリングブラケット１３とサポートブラケット２１を連結する円柱状の部材である。連結部材１７の中央部分に弾性部材であるゴム１７ａが設けられ、その下面には円形のプレート１７ｂが設けられ、その中心に下向きのねじ１７ｃが設けられている。又上面にも円形のプレート１７ｄが取付けられ、プレート１７ｄにはねじ溝１７ｅが形成されている。
【００１４】
サポートブラケット２１〜２４はいずれも同一であるので、サポートブラケット２１について再び図４を用いて説明する。サポートブラケット２１は長方形の平板の部材であり、その中央部分にはねじ溝２１ａが設けられる。又ねじ溝２１ａの左右の対称な位置にも一対のねじ溝２１ｂ，２１ｃが設けられ、上面には位置決め部である突起２１ｄ，２１ｅがねじ止めにより取付けられる。突起２１ｄ，２１ｅは円柱状の部材である。
【００１５】
そしてサポートブラケット２１のねじ溝２１ａには連結部材１７がねじ止め固定される。ねじ溝２１ａにはスプリングブラケット１３の中央の開口１３ｄの上部より図示しないねじによって締め付け固定されている。こうしてスプリングブラケット１３に連結部材１７を介してサポートブラケット２１が取付けられる。他のスプリングブラケット、連結部材とサポートブラケットも同様であり、各スプリングブラケットと各サポートブラケットとは弾性部材を介してわずかに揺動できるように構成される。
【００１６】
次に天板３０について説明する。図６はこの天板３０の一例を示す平面図である。天板３０は枠状ベース１０とほぼ同一の大きさの正方形状で、十分な厚さを有する平板状の部材である。天板３０は、例えばアクリルなどの透明体であってもよく、その他の樹脂材料で構成してもよい。天板３０の上面には載置するオーディオ機器、例えばレコードプレーヤーの下面の形状に対する開口が設けられる。この実施の形態では、中央にはレコードプレーヤーをそのまま載置するための略正方形状の開口３１が設けられ、この開口３１の四隅には窪み３２〜３５が設けられる。そして図７は窪み３２を示す部分断面図である。図示のように窪み３２の中心は径の小さい貫通孔３２ａとなっている。その他の窪み33〜35についても同様である。
【００１７】
又天板３０の下面には、サポートブラケットの位置決め部に対応する部分に係合部３６〜３９が設けられる。図８はこのうちの１つの係合部３６を示す部分断面図である。係合部３６にはサポートブラケット２１の位置決め部である突起２１ｄ，２１ｅに対応する位置に、下方より窪み３６ａ，３６ｂが設けられる。又スプリングブラケット１３の中央の平面１３ｃには直接接触しないようにスプリングブラケットの上部の平面１３ｃよりも大きい円形の窪み３６ｃが形成される。
【００１８】
そしてこの枠状ベース１０の上面の開口１１の相対向する２辺にスプリングブラケット１３〜１６を直立させるように連結し、各スプリングブラケット１３〜１６の中央部分には連結部材１７〜２０を取付け、その下方にサポートブラケット２１〜２４を水平に取付ける。この状態で天板３０を各サポートブラケット２１〜２４の位置決め部材に対応する位置に設けた窪みが嵌まり込むように、４つのサポートブラケット２１〜２４の上に載置する。こうすれば天板３０はスプリングブラケット１３〜１６に吊り下げられた状態となるが、スプリングブラケット１３〜１６に直接には接触していない。そして天板３０上にレコードプレーヤーを載置することによって、枠状ベース１０とレコードプレーヤーとは連結部材のゴムのみを介して連結された状態となる。天板３６の上面の開口や窪みは、載置するプレーヤーに合わせて形成しておくことにより、天板上に位置ずれなく載置することができる。
【００１９】
こうすれば外部からの振動は直接レコードプレーヤーに到達することがなく、耐振性を向上することができる。又オーディオ機器を動作させた場合、スピーカからの出力される音響信号がレコードプレーヤーに当たって振動し、ハウリングが起こることがあるが、この実施の形態では連結部材のゴムを伸長する方向に用いているため、ゴムの弾性を効果的に利用してハウリングの発生を大幅に減衰させることができる。このように外部からの振動はレコードプレーヤーには伝わらないため、音質を向上させることができる。
【００２０】
尚この実施の形態では、スプリングブラケットの下方に連結部材を介してサポートブラケットを取付けているが、スプリングブラケットの上部に連結部材を設け、その上部にサポートブラケットを配置するようにしてもよい。スプリングブラケットはコ字状に限らず、逆Ｌ字状のものであってもよく、その数も３以上であればよい。又この実施の形態ではサポートブラケットの上面に突起を設け、これに係合する係合部を天板の下面に設けているが、天板の下面に突起を設け、サポートブラケットに窪み又は開口を設けるようにしてもよい。
【００２１】
更にこの実施の形態ではオーディオ用免震台をレコードプレーヤーの載置台として用いた例を示しているが、本考案はその他のオーディオ機器、例えばスピーカボックスの載置台として、又は増幅器の載置台としても用いることができる。この場合には天板の開口や上面の窪みは機器に合わせて形成しておくことはいうまでもない。
【産業上の利用可能性】
【００２２】
本考案は外部からの振動をオーディオ機器に伝えることがないため、又経年変化などがなく、レコードプレーヤーなどのオーディオ機器の載置台として有用である。
【符号の説明】
【００２３】
１０  枠状ベース
１１ａ〜１１ｄ  脚部
１２  開口
１３〜１６  スプリングブラケット
１７〜２０  連結部材
２１〜２４  サポートブラケット
３０  天板
３２〜３５  窪み
３６〜３９  係合部
【図１】
0003183544.tif 000003
【図２】
0003183544.tif 000004
【図３】
0003183544.tif 000005
【図４】
0003183544.tif 000006
【図５】
0003183544.tif 000007
【図６】
0003183544.tif 000008
【図７】
0003183544.tif 000009
【図８】
0003183544.tif 000010